【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
回転可能なカムと、自らに突き当てられている前記カムの回転姿勢の変化に応じて自らの位置を変化させる変位体と、前記カムの回転駆動源であるモーターと、前記モーターに供給する電流を出力する電源とを有するカム駆動装置において、
停止中の前記モーターに停動トルクを発生させるために前記電源から出力させる電流を前記カムの回転停止姿勢の違いに応じて異ならせるように、前記電源からの出力電流値を制御する制御手段を設けたことを特徴とするカム駆動装置。
【請求項２】
請求項１のカム駆動装置において、
前記カムの周縁部のうち、前記カムの回転軸線を中心にした一定の曲率で湾曲する同心湾曲部を前記変位体に突き当てる前記回転停止姿勢と、前記回転軸線の中心にした曲率を変化させながら湾曲する非同心湾曲部を前記変位体に突き当てる前記回転停止姿勢とで、前記出力電流値を異ならせる制御を実施するように、前記制御手段を構成したことを特徴とするカム駆動装置。
【請求項３】
請求項２のカム駆動装置において、
前記同心湾曲部を前記変位体に突き当てる前記回転停止姿勢における前記出力電流値を、前記非同心湾曲部を前記変位体に突き当てる前記回転停止姿勢における前記出力電流値よりも小さくする制御を実施するように、前記制御手段を構成したことを特徴とするカム駆動装置。
【請求項４】
請求項３のカム駆動装置において、
前記非同心湾曲部を前記変位体に突き当てる前記回転停止姿勢であって、前記非同心湾曲部における回転半径のより小さな箇所を前記変位体に突き当てる前記回転停止姿勢における前記出力電流値を、前記非同心湾曲部における回転半径のより大きな箇所を前記変位体に突き当てる前記回転停止姿勢における前記出力電流値よりも小さくする制御を実施するように、前記制御手段を構成したことを特徴とするカム駆動装置。
【請求項５】
請求項３又は４のカム駆動装置において、
前記モーターの駆動によって前記カムを回転させているときの前記出力電流値を、前記同心湾曲部を前記変位体に突き当てる前記回転停止姿勢における前記出力電流値よりも大きくする制御を実施するように、前記制御手段を構成したことを特徴とするカム駆動装置。
【請求項６】
記録シートに画像を形成する画像形成手段にカム駆動装置が搭載された画像形成装置において、
前記カム駆動装置として、請求項１乃至５の何れかのカム駆動装置を用いたことを特徴とする画像形成装置。
【請求項７】
記録シートに画像を形成する画像形成手段にカム駆動装置が搭載された画像形成装置において、
前記カム駆動装置として、請求項２乃至５の何れかのカム駆動装置を用い、
前記画像形成手段として、前記カム駆動装置、トナー像を作像する作像手段、前記作像手段によって作像されたトナー像を自らの表面に担持する像担持体、記録シートを介して前記像担持体に当接して転写ニップを形成するニップ形成体、及び前記像担持体の表面上のトナー像を前記転写ニップ内に挟み込まれた記録シートに転写する転写手段を有するものを用い、
且つ、前記カム駆動装置の前記カムの回転駆動により、前記転写ニップにおけるニップ圧、及び前記像担持体と前記ニップ形成体との離間距離のうち、少なくとも一方を変化させるようにしたことを特徴とする画像形成装置。
【請求項８】
請求項７の画像形成装置において、
前記カムの回転停止姿勢の違いにより、記録シートの搬送方向における先端部及び後端部を除く部分であるシート本体部を前記転写ニップに進入させていないタイミングにおける前記ニップ圧を、前記シート本体部を前記転写ニップに進入させているタイミングであるシート本体進入タイミングにおける前記ニップ圧よりも小さくする制御を実施するように、前記制御手段を構成したことを特徴とする画像形成装置。
【請求項９】
請求項８の画像形成装置において、
前記シート本体進入タイミングでは、前記カムを前記変位体に突き当てない回転停止姿勢を前記カムにとらせて、前記ニップ形成体を前記像担持体に向けて付勢する付勢手段に対して前記カムによる抗力を付与せずに、前記ニップ形成体を前記像担持体に向けて加圧して前記転写ニップを形成する制御を実施するように、前記制御手段を構成したことを特徴とする画像形成装置。
【請求項１０】
請求項９の画像形成装置において、
記録シートの先端を前記像担持体と前記ニップ形成体との間に進入させる直前のタイミングである進入直前タイミングでは、前記カムの前記非同心湾曲部を前記変位体に突き当てる回転停止姿勢を前記カムにとらせて、前記ニップ形成体を前記像担持体から離間させるとともに、前記シート本体進入タイミングに比べて前記出力電流値を大きくする制御を実施するように、前記制御手段を構成したことを特徴とする画像形成装置。
【請求項１１】
請求項１０の画像形成装置において、
画像形成動作を停止しているときには、前記カムの前記同心湾曲部からなる停止時用湾曲部を前記変位体に突き当てる前記回転停止姿勢を前記カムにとらせて、前記ニップ形成体を前記像担持体から離間させるとともに、前記進入直前タイミングに比べて前記出力電流値を小さくする制御を実施するように、前記制御手段を構成したことを特徴とする画像形成装置。
【請求項１２】
請求項１０又は１１の画像形成装置において、
記録シートの後端を前記像担持体と前記ニップ形成体との間から抜け出させるタイミングである排出直前タイミングでは、前記カムの前記非同心湾曲部を前記変位体に突き当てる回転停止姿勢で前記カムの回転を停止させて、前記シート本体進入タイミングに比べて、前記ニップ圧を低くするとともに、前記出力電流値を大きくする制御を実施するように、前記制御手段を構成したことを特徴とする画像形成装置。
【請求項１３】
請求項１０乃至１２の何れかの画像形成装置において、
画像形成動作を停止しているときには、前記カムの前記同心湾曲部からなる停止時用湾曲部を前記変位体に突き当てる前記回転停止姿勢を前記カムにとらせて、前記ニップ形成体を前記像担持体から離間させるとともに、前記進入直前タイミングに比べて前記出力電流値を小さくする制御を実施するように、前記制御手段を構成したことを特徴とする画像形成装置。
【請求項１４】
請求項１３の画像形成装置において、
複数の記録シートに対して画像を連続的に形成する連続画像形成動作中であって、且つ前記像担持体の表面における移動方向の全域のうち、前記転写ニップにて、先行する記録シートに接触する領域と、後続の記録シートに接触する領域との間の領域であるシート間対応領域を前記転写ニップに進入させるタイミングであって、且つ前記進入直前タイミングでは、前記カムの前記非同心湾曲部を前記変位体に突き当てる回転停止姿勢を前記カムにとらせて、前記ニップ形成体を前記像担持体から離間させるとともに、前記シート本体進入タイミングに比べて前記出力電流値を大きくする制御を実施するように、前記制御手段を構成したことを特徴とする画像形成装置。
【請求項１５】
請求項１０乃至１４の何れかの画像形成装置において、
使用される記録シートの厚みの情報を取得する情報取得手段を設け、
前記進入直前タイミングにおける、前記非同心湾曲部の前記変位体に対する突き当て箇所を、前記情報取得手段による取得結果に応じて異ならせることで、前記ニップ形成体と前記像担持体との離間距離を前記厚みに応じて異ならせる制御を実施するように、前記制御手段を構成したことを特徴とする画像形成装置。
【請求項１６】
請求項１５の画像形成装置において、
前記カム駆動装置として、請求項４のカム駆動装置を用い、
前記非同心湾曲部の前記変位体に対する突き当て箇所の回転半径がより小さくなるほど、前記出力電流値をより小さくする制御を実施するように、前記制御手段を構成したことを特徴とする画像形成装置。